(57)【要約】【課題】皺の発生を予測することが可能なインクジェット記録装置を提供する。【解決手段】画像データにおいて、対象領域を設定する領域設定部と、対象領域と、対象領域に隣接する隣接対象領域とのインク付着量の差を算出するインク付着量差算出部と、インク付着量差算出部の算出結果に基づき、インク付着量の差が閾値を超えるかどうかを判定するインク付着量差判定部とを有し、インク付着量差判定部の判定結果に基づいた対応処理を行う制御部を備えるインクジェット記録装置を構成する。【選択図】図５
2020110983.tif 000002
【特許請求の範囲】
【請求項１】
記録材にインクを吐出するノズルを有し、画像データに基づいて前記ノズルから前記記録材にインクを吐出して画像を形成するインクジェットヘッドと、
前記画像データの画像処理を行う制御部と、を備え、
前記制御部は、
前記画像データにおいて、対象領域と、前記対象領域に隣接する隣接対象領域とのインク付着量の差を算出するインク付着量差算出部と、
前記インク付着量差算出部の算出結果に基づき、前記インク付着量の差が閾値を超えるかどうかを判定するインク付着量差判定部と、を有し、
前記制御部は、前記インク付着量差判定部の判定結果に基づいて前記記録材の皺の発生に対する対応処理を行う
インクジェット記録装置。
【請求項２】
前記制御部は、前記インク付着量差判定部によって前記インク付着量の差が前記閾値を超えると判定された場合に、表示部に皺の発生の可能性を通知する表示を行う出力処理部を備える
請求項１に記載のインクジェット記録装置。
【請求項３】
前記制御部は、前記通知を表示した後、画像形成を中断する
請求項２に記載のインクジェット記録装置。
【請求項４】
前記制御部は、前記インク付着量差判定部によって前記インク付着量の差が前記閾値を超えると判定された場合に、前記インク付着量の差が前記閾値を超えないように、前記画像データの前記インク付着量の条件を変更する
請求項１に記載のインクジェット記録装置。
【請求項５】
前記インクジェットヘッドの位置を移動させるヘッド位置調整部を備え、
前記インク付着量差判定部によって前記インク付着量の差が前記閾値を超えると判定された場合に、前記制御部は、前記ヘッド位置調整部を駆動し、前記インクジェットヘッドと前記記録材との間隔を調整する
請求項１に記載のインクジェット記録装置。
【請求項６】
前記制御部が、前記画像データにおいて前記対象領域を設定する領域設定部を備え、
前記領域設定部は、前記画像データの画素毎のインク付着量に基づいて前記対象領域を取得する
請求項１に記載のインクジェット記録装置。
【請求項７】
前記制御部が、前記画像データにおいて前記対象領域を設定する領域設定部を備え、
前記領域設定部は、前記対象領域を所定の単位面積毎に設定する
請求項１に記載のインクジェット記録装置。
【請求項８】
前記インク付着量差算出部は、前記所定の単位面積におけるインク付着量の平均値を前記対象領域のインク付着量とする
請求項７に記載のインクジェット記録装置。
【請求項９】
前記インク付着量差判定部は、前記記録材の縁端部に近い前記対象領域において、前記インク付着量の差の前記閾値を前記記録材の中央に近い前記対象領域よりも低くする
請求項１から８のいずれかに記載のインクジェット記録装置。
【請求項１０】
前記インク付着量差判定部は、前記記録材の種類、環境湿度、及び、前記対象領域の前記記録材の目方向と平行する方向の長さのいずれか１つ以上の条件に応じて前記閾値を変更する
請求項１から８のいずれかに記載のインクジェット記録装置。
【請求項１１】
前記画像データにおける濃度を基に、前記インク付着量を算出する
請求項１に記載のインクジェット記録装置。
【請求項１２】
画像データにおいて対象領域を設定する手順と、
前記対象領域と、前記対象領域に隣接する隣接対象領域とのインク付着量の差を算出する手順と、
前記インク付着量の差が、閾値を超えるかどうかを判定する手順と、
前記判定の結果に基づいた対応処理を指示する手順と、をコンピューターに実行させるための
プログラム。
【発明の詳細な説明】
【技術分野】
【０００１】
本発明は、インクジェット記録方式を用いたインクジェット記録装置、及び、プログラムに係わる。
【背景技術】
【０００２】
インクジェット記録装置では、記録材がインクの溶媒を吸収することによって伸び縮みする現象、いわゆる、コックリングと呼ばれる現象が発生することが知られている（例えば、特許文献１参照）。
【０００３】
コックリングは、記録材に対するインクの打ち込み量（インク付与量）と、画像を記録してからの経過時間等の条件に応じて発生する。インク打ち込み量が多いほど、記録材におけるインクの吸収量が増えるため、記録材の伸び縮みが大きくなる。また、画像を記録してからの経過時間が長いほど、記録材におけるインクの吸収が進行し、その後に乾燥することになるため、記録材の伸び縮みが大きくなる。
【０００４】
このように、コックリングの発生量は、画像記録時における画像条件や環境条件に依存するため、画像形成前に特定することは難しい。そこで、上述の特許文献１では、記録材にコックリング検出用パターンを形成し、このコックリング検出用パターンに発生しているコックリングの高さを検出している。そして、検出したコックリングの高さに基づいて、画像形成時における記録ヘッドの高さ方向の位置を設定している。
【先行技術文献】
【特許文献】
【０００５】
【特許文献１】特開２００９−１１９７１３号公報
【発明の概要】
【発明が解決しようとする課題】
【０００６】
しかしながら、本発明者は、インクジェット記録方式の画像形成において記録材には、コックリングだけでなく、隣接する領域間でのインク付着量の差が大きい場合に領域の境界で皺が発生する場合があるという知見を得た。このような隣接する領域の境界で発生する皺は、印字部でのコックリングの発生とはメカニズムが異なるため、上述のコックリング検出用パターンを用いた検出方法では、予測することができない。
【０００７】
上述した問題の解決のため、本発明においては、皺の発生を予測することが可能なインクジェット記録装置、及び、プログラムを提供する。
【課題を解決するための手段】
【０００８】
本発明のインクジェット記録装置は、記録材にインクを吐出するノズルを有し、画像データに基づいてノズルから記録材にインクを吐出して画像を形成するインクジェットヘッドと、画像データの画像処理を行う制御部とを備える。そして、制御部は、画像データにおいて、対象領域を設定する領域設定部と、対象領域と、対象領域に隣接する隣接対象領域とのインク付着量の差を算出するインク付着量差算出部と、インク付着量差算出部の算出結果に基づき、インク付着量の差が閾値を超えるかどうかを判定するインク付着量差判定部とを有し、制御部は、インク付着量差判定部の判定結果に基づいた対応処理を行う。
【０００９】
本発明のプログラムは、画像データにおいて対象領域を設定する手順と、対象領域と、対象領域に隣接する隣接対象領域とのインク付着量の差を算出する手順と、インク付着量の差が閾値を超えるかどうかを判定する手順と、判定の結果に基づいた対応処理を指示する手順と、をコンピューターに実行させる。
【発明の効果】
【００１０】
本発明によれば、皺の発生を予測することが可能なインクジェット記録装置、及び、プログラムを提供することができる。
【図面の簡単な説明】
【００１１】
【図１】インクジェット記録装置の全体構成を示す概略構成図である。
【図２】記録材側から見たヘッドユニットの構成を示す平面図である。
【図３】インクジェット記録装置の制御系の構成を示すブロック図である。
【図４】インクジェット記録装置が備えるハードウェア構成例を示すブロック図である。
【図５】インクジェット記録装置の制御部の機能構成例を示すブロック図である。
【図６】インクの付着量の差による皺の発生を説明するための図である。
【図７】皺の発生に対する隣接対象領域の面積の影響を説明するための図である。
【図８】Ａ〜Ｃは隣接対象領域の面積による皺の発生への影響を説明するための図である。
【図９】紙の種類による皺の発生への影響を説明するための図である。
【図１０】紙の種類による皺の発生への影響を説明するための図である。
【図１１】インクの付着量の差によって発生する皺の高さを示す表である。
【図１２】インクの付着量の差によって発生する皺の高さを示す表である。
【図１３】画像判定処理の手順を説明するためのフローチャートである。
【発明を実施するための形態】
【００１２】
以下、本発明を実施するための形態の例を説明するが、本発明は以下の例に限定されるものではない。
図１に、本実施の形態のインクジェット記録装置の構成を示す。図１は、インクジェット記録装置の全体構成を示す概略構成図である。
【００１３】
図１に示すインクジェット記録装置１は、インクジェットヘッドに設けたノズルからインクを吐出することで記録材に画像を形成（記録）するものである。このインクジェット記録装置１は、イエロー（Ｙ）、マゼンダ（Ｍ）、シアン（Ｃ）及びブラック（Ｂｋ）の４色のインクを重ね合わせるカラーインクジェット記録装置である。
【００１４】
インクジェット記録装置１は、給紙部１０と、画像形成部２０と、排紙部３０と、湿度計測部２９と、制御部４０とを有している。そして、インクジェット記録装置１は、端末装置２（図３参照）から入力された画像データを記録材Ｐに形成する。
【００１５】
給紙部１０は、給紙トレー１１と、記録材供給部１２とを有している。給紙トレー１１は、記録材の一例を示す記録材Ｐを載置可能に設けられた板状の部材である。給紙トレー１１は、載置された記録材Ｐの枚数に応じて上下方向に移動可能に設けられている。そして、給紙トレー１１に載置された複数の記録材Ｐのうち上下方向の最上部の記録材Ｐは、記録材供給部１２により搬送される位置で保持される。
【００１６】
記録材供給部１２は、複数（本例では、２つ）のローラ１２１、１２２と、搬送ベルト１２３とを有している。搬送ベルト１２３は、長手方向の両端が接続された無端状に形成されている。搬送ベルト１２３は、ローラ１２１、１２２に張架されている。そして、ローラ１２１、１２２のうち一方のローラが回転駆動することで、搬送ベルト１２３は、２つのローラ１２１、１２２の間を循環移動する。これにより、搬送ベルト１２３に載置された記録材Ｐが搬送される。
【００１７】
また、記録材供給部１２は、ローラ１２１、１２２を回転駆動する不図示の駆動部や、給紙トレー１１に載置された最上部の記録材Ｐを搬送ベルト１２３に受け渡す供給装置を有している。そして、記録材供給部１２は、搬送ベルト１２３に載置された記録材Ｐを画像形成部２０に向けて搬送し、画像形成部２０に給紙する。
【００１８】
画像形成部２０は、画像形成ドラム２１と、受け渡しユニット２２と、加熱部２３と、ヘッドユニット２４と、定着部２５と、画像読取部２６と、記録材排出部２７と、記録材反転部２８とを有している。
【００１９】
画像形成ドラム２１は、円筒状に形成されている。画像形成ドラム２１は、不図示の駆動モータにより反時計回りに回転する。画像形成ドラム２１の外周面には、給紙部１０から供給された記録材Ｐが担持される。そして、画像形成ドラム２１は、回転駆動することで記録材Ｐを排紙部３０に向けて搬送する。また、画像形成ドラム２１の外周面には、加熱部２３、ヘッドユニット２４、定着部２５及び画像読取部２６が対向して配置されている。
【００２０】
受け渡しユニット２２は、給紙部１０の記録材供給部１２と画像形成ドラム２１との間に介在する位置に設けられている。受け渡しユニット２２は、爪部２２１と、円筒状の受け渡しドラム２２２等を有している。爪部２２１は、記録材供給部１２により搬送された記録材Ｐの一端を担持する。受け渡しドラム２２２は、爪部２２１に担持された記録材Ｐを画像形成ドラム２１に向けて誘導する。これにより、記録材Ｐは、受け渡しユニット２２を介して記録材供給部１２から画像形成ドラム２１の外周面に受け渡される。
【００２１】
受け渡しドラム２２２における記録材Ｐの搬送方向の下流側には、加熱部２３が配置されている。加熱部２３は、例えば電熱線等を有し、通電に応じて発熱する。加熱部２３は、制御部４０による制御により、画像形成ドラム２１に担持されて加熱部２３の近傍を通過する記録材Ｐが所定の温度となるように発熱を行う。
【００２２】
また、加熱部２３の近傍には、不図示の温度センサーが設けられている。温度センサーは、加熱部２３付近の温度を検知する。そして、制御部４０は、温度センサーが検知した温度情報に基づいて、加熱部２３の温度を制御する。
【００２３】
加熱部２３における記録材Ｐの搬送方向の下流側には、ヘッドユニット２４が設けられている。ヘッドユニット２４は、イエロー（Ｙ）、マゼンダ（Ｍ）、シアン（Ｃ）、ブラック（Ｂｋ）に応じて４つ設けられている。４つのヘッドユニット２４は、記録材Ｐの搬送方向に対して上流側から、イエロー、マゼンダ、シアン、ブラックの順に配置されている。
【００２４】
ヘッドユニット２４は、記録材Ｐの搬送方向と直交する方向（幅方向）において記録材Ｐの全体を覆う長さ（幅）に設定されている。すなわち、インクジェット記録装置１は、ワンパス方式のラインヘッド型インクジェット記録装置である。４つのヘッドユニット２４は、それぞれ吐出するインクの色が異なるのみで、互いに同一の構成を有している。
【００２５】
図２は、ヘッドユニット２４を記録材側から見た状態を示す平面図である。
図２に示すように、ヘッドユニット２４は、複数（本例では、１６個）のインクジェットヘッド２４２を有している。そして、２つのインクジェットヘッド２４２が１組となって、１つのインクジェットモジュール２４３を構成している。そのため、本例のヘッドユニット２４には、８つのインクジェットモジュール２４３が設けられている。
【００２６】
８つのインクジェットモジュール２４３は、記録材Ｐの搬送方向に沿って２列並べられている。そして、一列のインクジェットモジュール２４３は、記録材Ｐの搬送方向と直交する方向（幅方向）に沿って４つ並べて配置されている。また、８つのインクジェットモジュール２４３は、２列のインクジェットモジュール２４３が記録材Ｐの搬送方向に沿って互い違い千鳥状に配置されている。
【００２７】
なお、インクジェットモジュール２４３の数及び配置は、上述したものに限定されるものではなく、６又は１０以上のインクジェットモジュール２４３を配置してもよい。
【００２８】
また、インクジェットヘッド２４２は、複数のノズル２４４を有している。そして、インクジェットヘッド２４２は、ノズル２４４からインクを記録材Ｐに向けて吐出する。これにより、画像形成ドラム２１に担持された記録材Ｐに画像が形成される。
【００２９】
４つのヘッドユニット２４における搬送方向の下流側には、定着部２５が配置されている。定着部２５としては、例えば、低圧水銀ランプ等の紫外線を照射する蛍光管が適用される。そして、定着部２５は、紫外線を画像形成ドラム２１により搬送された記録材Ｐに向けて照射し、記録材Ｐ状に吐出されたインクを硬化させる。これにより、定着部２５は、記録材Ｐに形成された画像を定着させる。
【００３０】
紫外線を発する蛍光管としては、低圧水銀ランプの他、数百Ｐａ〜１ＭＰａ程度の動作圧力を有する水銀ランプ、殺菌灯として利用可能な光源、冷陰極管、紫外線レーザー光源、メタルハライドランプ、発光ダイオードなどが挙げられる。これらの中で、紫外線をより高照度で照射可能であって消費電力の少ない光源（例えば発光ダイオード等）がより望ましい。
【００３１】
なお、定着部２５としては紫外線を照射するものに限定されるものではなく、インクの性質に応じてインクを硬化させる性質を有するエネルギー線を照射するものであればよく、光源もエネルギー線の波長などに応じて置換される。また、定着部２５としては、紫外線等の光を照射するものに限定されるものではない。定着部としては、例えば、記録材に熱を与えることでインクを乾燥されたり、インクに化学的な変化を起こさせる液体を付与させたりするもの等その他各種の方法を適用できるものである。
【００３２】
また、定着部２５における搬送方向の下流側には、画像読取部２６が配置されている。画像読取部２６は、複数の検出素子が記録材Ｐの搬送方向と直交する方向（幅方向）に沿って並べられたインラインセンサで構成されており、ヘッドユニット２４及び定着部２５により記録材Ｐに形成された画像を読み取る。読み取った画像のデータは、制御部４０に送られる。なお、画像読取部２６を構成する検出素子の間隔は、インクジェットヘッド２４２のノズル２４４の間隔よりも広く設定されている。すなわち、画像読取部２６の分解能は、ヘッドユニット２４の解像度よりも粗く設定されている。
【００３３】
また、画像読取部２６の搬送方向の下流側には、記録材排出部２７と、記録材反転部２８が設けられている。記録材排出部２７は、画像形成ドラム２１により搬送された記録材Ｐを排紙部３０に向けて搬送する。
【００３４】
記録材排出部２７は、円筒状の分離ドラム２７１と、排出ベルト２７２とを有している。分離ドラム２７１は、画像形成ドラム２１に担持された記録材Ｐを画像形成ドラム２１の外周面から分離させる。そして、分離ドラム２７１は、記録材Ｐを排出ベルト２７２又は記録材反転部２８に記録材Ｐを誘導する。
【００３５】
分離ドラム２７１は、片面画像形成におけるフェースアップ排紙を行う場合に、記録材Ｐを排出ベルト２７２に誘導する。また、分離ドラム２７１は、片面画像形成におけるフェースダウン排紙及び両面画像形成を行う場合に、記録材Ｐを記録材反転部２８に誘導する。
【００３６】
排出ベルト２７２は、記録材供給部１２の搬送ベルト１２３と同様に、無端状に形成されている。排出ベルト２７２は、複数のローラにより回転可能に支持されている。排出ベルト２７２は、分離ドラム２７１による受け渡された記録材Ｐを排紙部３０に送り出す。
【００３７】
記録材反転部２８は、複数の反転ローラ２８１、２８２と、反転ベルト２８３とを有している。フェースダウン排紙を行う場合、記録材反転部２８は、分離ドラム２７１により誘導された記録材Ｐの表裏を反転し、記録材排出部２７に搬送する。これにより、記録材Ｐは、記録材排出部２７による画像が形成された面が上下方向の下方を向いた状態で排紙部３０に搬送される。
【００３８】
また、両面画像形成を行う場合、記録材反転部２８は、分離ドラム２７１により誘導された記録材Ｐの表裏を反転し、再び画像形成ドラム２１の外周面に搬送する。これにより、記録材Ｐは、画像形成ドラム２１により搬送され、再び加熱部２３、ヘッドユニット２４、定着部２５及び画像読取部２６を通過する。
【００３９】
排紙部３０は、記録材排出部２７により画像形成部２０から送り出された記録材Ｐを格納する。排紙部３０は、平板状の排紙トレー３１を有している。そして、排紙部３０は、排紙トレー３１上に画像が形成された記録材Ｐを載置する。
【００４０】
また、インクジェット記録装置１は、自装置内に湿度計測部２９を備える。湿度計測部２９は、インクジェット記録装置１の内部、即ち記録材の周囲（環境）の湿度を検知する。
【００４１】
［インクジェット記録装置の制御系］
次に、インクジェット記録装置１の制御系の構成について図３を参照して説明する。
図３は、インクジェット記録装置１の制御系の構成を示すブロック図である。
【００４２】
図３に示すように、インクジェット記録装置１は、制御部４０を備えている。制御部４０は、例えばＣＰＵ（Central Processing Unit）４１と、ＣＰＵ４１の作業領域として使用されるＲＡＭ（Random Access Memory）４２と、ＣＰＵ４１が実行するプログラム等を記憶するためのＲＯＭ（Read Only Memory）４３と、を有する。さらに、制御部４０は、大容量記憶装置としてのハードディスクドライブ（ＨＤＤ）等からなる記憶部４４を有している。記憶部４４には、画像読取部２６が読み取った画像のデータ、ノズル２４４の吐出不良を検出するためのテストチャートや、ノズル２４４の吐出不良検出動作を行うための情報が格納される。
【００４３】
また、インクジェット記録装置１は、画像形成ドラム２１、記録材排出部２７や記録材反転部２８等の搬送系の駆動を行う搬送駆動部５１と、操作表示部５２と、入出力インターフェース５３とを有している。
【００４４】
制御部４０のＣＰＵ４１は、加熱部２３、ヘッドユニット２４、定着部２５、画像読取部２６、湿度計測部２９、ＲＡＭ４２、ＲＯＭ４３、記憶部４４にそれぞれシステムバス５４を介して接続され、装置全体を制御する。また、ＣＰＵ４１は、搬送駆動部５１、操作表示部５２、入出力インターフェース５３にそれぞれシステムバス５４を介して接続されている。
【００４５】
操作表示部５２は、液晶表示装置（ＬＣＤ）又は有機ＥＬＤ（Electro Luminescence Display）等のディスプレイからなるタッチパネルである。この操作表示部５２は、ユーザーに対する指示メニュー、ノズル２４４の吐出検出動作に関する情報や取得した画像データに関する情報等を表示する。さらに、操作表示部５２は、複数のキーを備え、ユーザーのキー操作による各種の指示、文字、数字などのデータの入力を受け付ける入力部としての役割を持つ。
【００４６】
入出力インターフェース５３は、ＰＣ（パーソナルコンピュータ）や、ファクシミリ装置等の端末装置２に接続されている。そして、入出力インターフェース５３は、端末装置２から画像データを受信する。入出力インターフェース５３は、受信した画像データを制御部４０に出力する。そして、制御部４０は、入出力インターフェース５３から受信した画像データを画像処理する。また、制御部４０は、受信した画像データに対し、必要に応じて、シェーディング補正、画像濃度調整、画像圧縮等の画像処理を行う。
【００４７】
また、ヘッドユニット２４は、制御部４０によって画像処理された画像データを受け取り、画像データに基づいて記録材Ｐ上に所定の画像を形成する。具体的には、ヘッドユニット２４は、ヘッド駆動部２４１を駆動することで、インクジェットヘッド２４２からインクを所定の位置に吐出させる。
【００４８】
ヘッドユニット２４により記録材Ｐに形成された画像は、画像読取部２６によって読み取られ、その画像データが制御部４０に送られる。また、ノズル２４４の吐出不良動作を行う際、制御部４０は、画像読取部２６から送られた画像データに基づいて吐出不良が生じているノズル２４４を判別する。そして、制御部４０は、例えば、吐出不良が発生したノズル２４４に隣接するノズル２４４からのインクの吐出量を増やすことで、ヘッドユニット２４の補正処理を行う。
【００４９】
［端末装置及びインクジェット記録装置のハードウェア構成］
図４は、インクジェット記録装置が備えるハードウェア構成例を示すブロック図である。インクジェット記録装置の機能、使用目的に合わせて装置内の各部は取捨選択される。ここでは、上述したインクジェット記録装置に接続された端末装置２のハードウェア構成例を説明する。
【００５０】
端末装置２は、制御部６０、表示部６５、操作部６６、不揮発性ストレージ６７、通信インターフェース６８を備える。端末装置２内の各部は、バス６４を介して接続されている。
【００５１】
制御部６０は、ＣＰＵ６１、ＲＯＭ６２、及びＲＡＭ６３によって構成される。制御部６０は、端末装置２内の各部の動作を制御するコンピューターの一例として用いられる。
【００５２】
ＣＰＵ６１は、例えば操作部６６を通じて行われるユーザーの入力操作に応じて、プリンタードライバーを動作して印刷ジョブを生成する。ＣＰＵ６１は、制御部の一例であり、本実施形態に係る各機能を実現するソフトウェアのプログラムコードをＲＯＭ６２（記録材の一例）から読み出して実行する。なお、ＣＰＵ６１に代えて、ＭＰＵ（Micro Processing Unit）等の他の演算装置を演算部として用いてもよい。
ＲＯＭ６２は、不揮発性メモリの一例として用いられ、ＣＰＵ６１が動作するために必要なプログラムやデータ等を記憶している。
ＲＡＭ６３は、揮発性メモリの一例として用いられ、ＣＰＵ６１が行う各処理に必要な情報（データ）を一時的に記憶する。
【００５３】
表示部６５は、例えば、液晶ディスプレイモニタであり、制御部６０で行われる処理の結果等を表示する。操作部６６には、例えば、キーボード、マウス又はタッチパネル等が用いられ、ユーザーが所定の操作を行い、指示を入力することが可能である。
【００５４】
不揮発性ストレージ６７は、記録材の一例であり、ＣＰＵ６１が各部を制御するためのプログラム、ＯＳ等のプログラム、及びデータを記憶する。不揮発性ストレージとしては、例えば、ＨＤＤ、ＳＳＤ（Solid State Drive）、光ディスク、光磁気ディスク、ＣＤ−ＲＯＭ、ＣＤ−Ｒ、磁気テープ、不揮発性のメモリカード等が用いられる。
【００５５】
通信インターフェース６８は、例えばＮＩＣ（Network Interface Card）やモデム等で構成され、ＬＡＮ等のネットワークＮを介して通信相手の装置との接続を確立し、各種データの送受信を実行する。
【００５６】
次に、インクジェット記録装置１のハードウェア構成について説明する。インクジェット記録装置１のハードウェア構成は、図４に示したハードウェア構成と同様である。インクジェット記録装置１のＣＰＵ６１は、端末装置２から印刷ジョブを受信すると、処理対象のページ（現ページ）に対して、記録材Ｐの種類の検出と、インク付着量の比較の対象となる対象領域の設定を行う。そして、ＣＰＵ６１は、設定した対象領域の面積を算出し、面積が所定以上である対象領域に対して隣接する対象領域（隣接対象領域）とのインク付着量の差を算出する。さらに、ＣＰＵ６１は、対象領域と隣接対象領域とのインク付着量の差が皺の発生条件を満たす閾値を超えるかどうかを判定する。これらの画像判定処理については、後に詳述する。
【００５７】
［インクジェット記録装置の制御部の機能構成］
次に、インクジェット記録装置の制御部４０の機能構成について説明する。図５は、制御部４０の機能構成例を示すブロック図である。端末装置２の制御部６０も同様の構成である。制御部４０は、画像データ取得部７１、領域設定部７２、インク付着量差算出部７３、インク付着量差判定部７４、出力処理部７５、皺回避処理部７６、ヘッド位置調整部７７、及び、閾値記憶部７８を備える。
【００５８】
画像データ取得部７１は、受信した印刷ジョブから、画像データと出力設定を取得する。この出力設定から、画像形成に用いられる記録材の種類を取得する。また、記録材の画像形成領域と余白領域とを取得する。
【００５９】
領域設定部７２は、画像データから記録材の画像形成領域、及び、余白領域において、単位面積当たり（例えば、画素当たり）のインク付着量を検出する。そして、インク付着量の比較対象となる対象領域を複数設定する。例えば、インク付着量が同程度となる画素が連続する範囲を、１つの対象領域（同濃度領域）として設定する。このように、インク付着量が同程度となる連続する範囲を、対象領域（同濃度領域）に設定することで、画像形成領域に所定の対象領域（同濃度領域）を設定する。或いは、画像形成領域に対して任意の単位面積毎に対象領域（単位面積領域）を設定することで、画像形成領域に複数の対象領域（単位面積領域）を設定する。
【００６０】
余白領域に画像を形成しない場合には、余白領域の全てを１つの対象領域（同濃度領域）として設定してもよく、また、余白領域を単位面積毎に分けて対象領域（単位面積領域）として設定してもよい。余白領域に画像等を形成するためにインクを付着させる場合には、インク付着部をインク付着量毎に対象領域（同濃度領域）として設定してもよく、インク付着部を単位面積毎に対象領域（単位面積領域）として設定してもよい。
【００６１】
さらに、領域設定部７２は、設定した各対象領域の面積を算出し、その面積が所定の値以上かどうかを判定する。インク付着量毎に対象領域（同濃度領域）を設定した場合には、各対象領域の面積を算出する。また、領域設定部７２は、インク付着量毎に対象領域（同濃度領域）を設定した場合、例えば、文字等の線画像のようにインクの付着する面積が小さい領域や、インク付着領域内に形成される所定値未満の面積のインクが付着しない対象領域（無インク領域）を、所定対象から除外する。これにより、所定以上の面積の対象領域のみを抽出する。
領域設定部７２は、単位面積毎に対象領域（単位面積領域）を設定した場合は、設定した単位面積を対象領域の面積として取得する。
【００６２】
インク付着量差算出部７３は、領域設定部７２が設定した各対象領域内のインク付着量を取得し、隣接する対象領域（以下、隣接対象領域）のインク付着量の差を算出する。インク付着量差算出部７３は、各対象領域においてインク付着量の平均値を算出し、この平均インク付着量を対象領域内のインク付着量とする。また、画像データにおける印字濃度に基づいてインク付着量を算出してもよい。
余白領域においても、画像形成領域と同様に平均インク付着量を算出し、この平均インク付着量を余白領域のインク付着量とする。余白領域は、画像が形成されない場合には、全ての対象領域のインク付着量が０となる。また、余白領域に画像等が形成される場合には、インク付着量毎の対象領域（同濃度領域）や、単位面積毎の対象領域（単位面積領域）の平均インク付着量を算出し、各対象領域のインク付着量を求める。そして、算出したインク付着量から、対象領域と隣接対象領域とのインク付着量の差を算出する。このとき、画像形成領域の端部に設定された各対象領域は、余白領域に設定された各対象領域とのインク付着量の差分も算出する。
【００６３】
インク付着量差判定部７４は、インク付着量差算出部７３が算出した対象領域と隣接対象領域とのインク付着量の差を、皺の発生条件を満たす閾値記憶部７８に記憶された所定の閾値と比較し、閾値を超えるかどうかを判定する。
閾値記憶部７８には、インク付着量の差、対象領域の面積、記録材の種類等、環境湿度、記録材の目方向、及び、対象領域の位置等の各種条件に応じて設定された、皺の発生条件を満たす任意の閾値が記憶されている。
インク付着量差判定部７４は、閾値記憶部７８に記憶されている各種条件に応じた閾値を読み出し、読み出した閾値と隣接する対象領域間でのインク付着量差とを比較する。これらの各種条件に応じた閾値については後述する。
【００６４】
出力処理部７５は、インク付着量差判定部７４の判定結果を基に、皺が発生する可能性がある旨の警告を操作表示部５２に表示する。また、例えば、印刷の中断、印字濃度（インク付着量）を下げることで皺の発生の回避、及び、画像形成ドラム２１からインクジェットヘッド２４２（図１参照）までの距離の調整等の対応方法を、選択的にユーザーに開示する。
【００６５】
皺回避処理部７６は、インク付着量差判定部７４の判定結果を基に、印刷ジョブの条件を皺が回避される条件に設定し直す。例えば、インク付着量を調整して、隣接する対象領域間のインク付着量の差が小さくなるように調整する。このとき、変更した条件を、操作表示部５２に表示してもよい。
【００６６】
ヘッド位置調整部７７は、インク付着量差判定部７４の判定結果を基に、ヘッドユニット２４を駆動してインクジェットヘッド２４２（図１参照）の位置を調整して、インクジェットヘッド２４２と記録材Ｐとが接触しないように、画像形成ドラム２１からインクジェットヘッド２４２までの距離を大きくする。これにより、インクジェットヘッド２４２と画像形成ドラム２１とのギャップを大きくし、皺が発生した場合にも、記録材Ｐとインクジェットヘッド２４２との接触（いわゆるヘッドアタック）を回避し、画像形成不良の発生の抑制やインクジェットヘッド２４２の保護を行う。
【００６７】
インク付着量差判定部７４において、皺の発生条件を満たす閾値に影響する各種条件について説明する。
（インク付着量の差）
図６に示すように、画像形成においては、記録材８０にインクを付着させた後、紫外線照射等によってインクを硬化して画像を固定化する。このとき、記録材８０に付着したインクが硬化することで、インクが収縮する。そして、インクの収縮に合わせて、記録材８０にも収縮する方向の応力が発生する。なお、図面では発生する応力を矢印で表示し、矢印の大きさが応力の大きさを表している。また、記録材８０において、インクが付着しない対象領域（無インク領域）８１では応力が発生しない。
【００６８】
インク付着量が多い対象領域（以下、高濃度領域）８２では、インク付着量が少ない対象領域（以下、低濃度領域）８３に比べてインクの収縮量が大きい。記録材８０に発生する応力も、高濃度領域８２側が大きく、低濃度領域８３側が小さい。このため、高濃度領域８２、低濃度領域８３、及び、無インク領域８１において、それぞれ隣接する各対象領域の間には、記録材８０に発生する応力に差がある。このとき、隣接する各対象領域の間において、発生する応力の差が大きい対象領域同士の境界では、応力の小さい対象領域の端から応力の大きい対象領域の中心に向かって皺が発生しやすい。図６に示す構成では、高濃度領域８２と無インク領域８１との間の応力の差が最も大きいため、無インク領域８１から高濃度領域８２の中心に向けて皺が発生しやすい。一方、高濃度領域８２と低濃度領域８３との境界や、低濃度領域８３と無インク領域８１との境界では、応力の差が小さいため皺が発生しにくい。
【００６９】
このように、隣接する対象領域間において、インク付着量の差が大きい程、皺が発生しやすくなり、インク付着量の差が小さい程、皺が発生しにくくなる。従って、隣接する対象領域間でのインク付着量差を基に皺の発生条件を満たす閾値を設定することができる。そして、インク付着量の差が閾値を超える場合には、皺の発生条件を満たすと判断することができる。
【００７０】
（対象領域の面積）
インクの硬化収縮によって発生する応力は、対象領域の面積の大きさに応じて変化する。インク付着量が同じ条件であれば、対象領域と隣接対象領域の面積が大きい程、インクの硬化収縮によって発生する応力が大きくなる。即ち、隣接する対象領域同士の面積が大きい程、対象領域の境界から皺が発生しやすくなる。
【００７１】
図７に示すように、記録材８０において、高濃度領域８２のインクの硬化収縮による応力（図面では矢印で表示）は、高濃度領域８２に接する２つの無インク領域８４及び無インク領域８５の境界において、ほぼ同じ大きさとなる。このため、インクの硬化収縮によって発生する応力差のみを考慮すると、高濃度領域８２と無インク領域８４及び無インク領域８５と境界において発生する応力差は同程度となる。
しかし、無インク領域８４と無インク領域８５とでは、それぞれ面積が異なるため、高濃度領域８２のインクの硬化に伴って発生する応力に反発する力の大きさが異なる。図８において、高濃度領域８２が画像形成領域の端部まで形成された記録材８０で、無インク領域８５が端部から１０ｍｍに設定されている場合を図８Ａ、無インク領域８４が端部から５０ｍｍに設定されている場合を図８Ｂに示す。また、無インク領域８５が１０ｍｍの場合と、無インク領域８４が５０ｍｍの場合の皺の発生状況を示すグラフを図８Ｃに示す。図８Ｃに示すように、面積の大きい無インク領域８４の方が、面積の小さい無インク領域８５よりも、発生する皺の高さが大きい。
【００７２】
上述のように、面積の大きい無インク領域８４の方が高濃度領域８２のインクの硬化収縮による応力に反発する力が大きく、無インク領域８５の方が硬化収縮による応力に反発する力が小さくなる。隣接する対象領域間では、発生する硬化収縮に反発する力が大きくなる程、応力差の大きくなる場合と同様に、皺が発生しやすくなる。従って、図７に示す構成では、無インク領域８５から高濃度領域８２の中心に向けての皺が発生しやすい。このように、高濃度側の対象領域の面積に対して、低濃度側の対象領域の面積が少なくなる程、インクの硬化収縮に対抗する力がなくなるため、結果的に皺の発生が抑制される。
【００７３】
以上述べたように、対象領域の大きさに応じて皺の発生しやすさが変化する。このため、インク付着量差判定部７４は、対象領域と隣接対象領域の面積の大きさに応じて、皺の発生条件を満たす閾値を設定する。
【００７４】
（記録材の種類）
インクを吸収しやすい媒体の方がインクの硬化に伴う応力が発生しやすい。このためコート紙のように紙表面に樹脂コート層を持つ用紙は、上質紙のような紙表面に紙繊維が露出された用紙よりも、インクの硬化に伴う応力が小さくなる傾向にある。このため、コート紙に比べて上質紙の方が、皺が発生しやすい傾向にある。また、布等の柔軟な記録材では、紙のような硬質な記録材に比べて、インクの硬化に伴う応力が緩和、吸収等されやすい。このため、布等は紙に比べて皺が発生しにくい傾向にある。
【００７５】
図９に、上質紙を用いた場合の皺の発生状況を示すグラフを示す。図１０に、コート紙を用いた場合の皺の発生状況を示すグラフを示す。図９及び図１０に示すグラフにおいて、縦軸は、記録材に発生した皺の高さ［ｍｍ］を示し、横軸は隣接する対象領域間のインク付着量の差［インク付着量差％］を示している。また、皺の発生による記録材とインクジェットヘッド２４２（図１参照）との接触（ヘッドアタック）を防ぐために、記録材に許容される皺の高さの上限（０．９ｍｍ）を実線８９で示している。
【００７６】
また、図１１は、上質紙を用いた場合における、対象領域と隣接対象領域のインク付着量（印字率％）と、そのインク付着量（印字率％）において隣接領域間に発生する皺の高さ（ｍｍ）を示す表である。図１２は、コート紙を用いた場合における、対象領域と隣接対象領域のインク付着量（印字率％）と、そのインク付着量（印字率％）において隣接領域間に発生する皺の高さ（ｍｍ）を示す表である。
【００７７】
上質紙、コート紙ともに、隣接する対象領域間のインク付着量差が大きくなる程、発生する皺の高さが大きくなる傾向が見られる。また、全てのインク付着量の差において、上質紙の方がコート紙よりも発生する皺の高さが大きい。特に、上質紙では、インク付着量の差が５０％程度を超えると皺の高さがヘッド位置を超えるため、記録材がインクジェットヘッドと接触してしまう。
このように、記録材の種類に応じて皺の発生しやすさが変化する。このため、インク付着量差判定部７４は、記録材の種類に応じて、皺の発生条件を満たす閾値を設定することが望ましい。
【００７８】
（環境湿度）
環境中の湿度が高い程、記録材に皺が発生しやすい。このため、インクジェット記録装置１に設けた湿度計測部２９によって湿度を測定し、環境中の湿度が高い場合には皺の発生条件を満たす閾値を下げる必要がある。従って、インク付着量差判定部７４は、環境中の湿度に応じて、皺の発生条件を満たす閾値を設定する。
【００７９】
（記録材の目方向）
記録材は、目方向と平行な方向の皺が発生しやすい。このため、隣接する対象領域間の境界線の方向が、記録材の目方向と直交する方向の場合には、記録材の目方向と平行な方向に皺が発生しやすい。即ち、隣接する対象領域間の境界線の方向が、記録材の目方向と直交する方向と平行に近づく程、記録材の目方向と平行な方向の皺が発生しやすくなる。従って、インク付着量差判定部７４は、隣接する対象領域間の境界線の方向と記録材の目方向とに応じて、皺の発生条件を満たす閾値を設定する。
【００８０】
（対象領域の位置）
記録材では、記録材の端に近い程、皺が発生しやすい。例えば、記録材の縁端部に近い対象領域において皺が発生しやすく、記録材の中央に近い対象領域において皺が発生しにくい。特に、記録材では、画像形成領域と余白領域との境界において最も皺が発生しやすい。このため、隣接する対象領域間の境界が画像形成領域と余白領域との間である場合には、特に皺が発生しやすい。従って、インク付着量差判定部７４は、インク付着量差判定部７４は、記録材の縁端部に近い対象領域において閾値を低くし、記録材の中央に近い対象領域において閾値を高くする。例えば、隣接する対象領域間での境界と余白領域との距離に応じて、皺の発生条件を満たす閾値を設定する。また、対象領域間の境界が画像形成領域と余白領域の境界である場合は、対象領域間の境界が画像形成領域と余白領域の境界でない場合よりも閾値を高くする。
【００８１】
［画像判定処理の手順］
次に、インクジェット記録装置、及び、端末装置における画像判定処理について説明する。図１３に、画像判定処理の手順を説明するためのフローチャートを示す。各々の装置のＣＰＵがＲＯＭに記憶されたプログラムを実行することにより、本フローチャートの処理が実現される。
【００８２】
制御部４０の画像データ取得部７１は、印刷ジョブを取得し、使用する記録材Ｐの種類を検出する（ステップＳ１）。このとき、印刷ジョブの出力設定から、画像形成に用いられる記録材の種類を取得してもよい。また、記録材の画像形成領域と余白領域とを取得してもよい。
【００８３】
次に、制御部４０の領域設定部７２は、画像データから対象領域を設定し、設定した対象領域の面積を取得する（ステップＳ２）。制御部は、画像形成領域及び余白領域において、単位面積当たりのインク付着量が同程度となる連続する範囲を１つの対象領域として設定する。或いは、制御部は、画像形成領域及び余白領域において、任意の単位面積毎に対象領域を設定する。そして、制御部は、設定した対象領域の面積を算出する。
【００８４】
次に、制御部４０のインク付着量差算出部７３は、隣接する対象領域間でのインク着量の差を取得する（ステップＳ３）。制御部は、設定した各対象領域において平均インク付着量を算出して、対象領域のインク付着量を取得する。そして、制御部は、算出した各対象領域のインク付着量から、各対象領域において隣接対象領域とのインク付着量の差を取得する。
【００８５】
次に、制御部４０のインク付着量差判定部７４は、隣接する対象領域間でのインク付着量の差が、皺の発生条件を満たす所定の閾値を超えるかどうかを判定する（ステップＳ４）。制御部は、取得した各対象領域において、隣接対象領域とのインク付着量の差と所定の閾値とを比較し、皺が発生する条件を満たすインク付着量の差かどうかを判定する。皺の発生条件を満たす閾値は、インク付着量の差、対象領域の面積、記録材の種類等、環境湿度、記録材の目方向、及び、対象領域の位置等の各種条件に応じて任意に設定される。対象領域と隣接対象領域とのインク付着量の差が、皺の発生条件を満たす所定の閾値を超えない場合（ステップＳ４のＮＯ）は、本フローチャートによる画像判定処理を終了する。
【００８６】
隣接する対象領域のインク付着量の差が、皺の発生条件を満たす所定の閾値を超える場合（ステップＳ４のＹＥＳ）、制御部４０の出力処理部７５は、操作表示部に警告を表示する（ステップＳ５）。例えば、制御部４０の出力処理部７５は、皺が発生する内容の警告を操作表示部に表示し、条件印刷の中断、印字濃度（インク付着量）を下げることで皺の発生の回避、及び、画像形成ドラム２１からインクジェットヘッドまでの距離の調整等の対応方法を操作表示部に表示することで、選択的にユーザーに開示する。
【００８７】
また、制御部４０の皺回避処理部７６は、上記の判定に応じて、ユーザーの指示、又は、任意に対応処理を行う。例えば、制御部４０の皺回避処理部７６は、自動的に画像形成を停止してジョブを中断する、皺が発生しないインク付着量差となるように印字濃度を変更する、及び、インクジェットヘッド２４２の位置を調整する等の対応処理を行う（ステップＳ６）。制御部４０の皺回避処理部７６は、これらの処理を行うことにより、画像形成不良の発生の抑制やインクジェットヘッドの保護を行う。
【００８８】
以上の画像判定処理を行うことにより、隣接する対象領域のインク付着量の差による皺の発生を、画像形成前に予測することができる。このため、記録材の種類や、各種印字条件を変更することにより、皺の発生を回避することができる。また、皺の発生を予測することにより、記録材とインクジェットヘッドとの接触（いわゆるヘッドアタック）を回避し、画像形成不良の発生の抑制やインクジェットヘッドを保護することができる。
【００８９】
なお、本発明は上述の実施形態例において説明した構成に限定されるものではなく、その他本発明構成を逸脱しない範囲において種々の変形、変更が可能である。
【符号の説明】
【００９０】
１  インクジェット記録装置、２  端末装置、１０  給紙部、１１  給紙トレー、１２  記録材供給部、２０  画像形成部、２１  画像形成ドラム、２２  渡しユニット、２３  加熱部、２４  ヘッドユニット、２５  定着部、２６  画像読取部、２７  記録材排出部、２８  記録材反転部、２９  湿度計測部、３０  排紙部、３１  排紙トレー、４０，６０  制御部、４１，６１  ＣＰＵ、４２，６３  ＲＡＭ、４３，６２  ＲＯＭ、４４  記憶部、５１  搬送駆動部、５２  操作表示部、５３  入出力インターフェース、５４  システムバス、６１ｍ  キャッシュメモリ、６４  バス、６５  表示部、６６  操作部、６７  不揮発性ストレージ、６８  通信インターフェース、７１  画像データ取得部、７２  領域設定部、７３  インク付着量差算出部、７４  インク付着量差判定部、７５  出力処理部、７６  皺回避処理部、７７  ヘッド位置調整部、７８  閾値記憶部、８０  記録材、８１，８４，８５  無インク領域、８２  高濃度領域、８３  低濃度領域、８９  実線、１２１  ローラ、１２３  搬送ベルト、２２１  爪部、２２２  渡しドラム、２４１  ヘッド駆動部、２４２  インクジェットヘッド、２４３  インクジェットモジュール、２４４  ノズル、２７１  分離ドラム、２７２  排出ベルト、２８１  反転ローラ、２８３  反転ベルト
【図１】
2020110983.tif 000003
【図２】
2020110983.tif 000004
【図３】
2020110983.tif 000005
【図４】
2020110983.tif 000006
【図５】
2020110983.tif 000007
【図６】
2020110983.tif 000008
【図７】
2020110983.tif 000009
【図８】
2020110983.tif 000010
【図９】
2020110983.tif 000011
【図１０】
2020110983.tif 000012
【図１１】
2020110983.tif 000013
【図１２】
2020110983.tif 000014
【図１３】
2020110983.tif 000015